(57)【要約】【課題】固定電話機と移動電話機を有する構内用電話システムにおいて、固定電話機の内線番号を移動電話機で使用することが可能な無線電話システムを提供する。【解決手段】主装置に、固定電話機の内線番号と対になるパスワードを登録する。その後、移動電話機にパスワードが入力されたとき、その移動電話機の内線番号に固定電話機の内線番号が追加される。追加された内線番号に対して着信があった場合は、主装置はそれを移動電話機に転送する。また、固定電話機の電話帳データや発着信履歴などの個人的なデータも移動電話機に転送され、固定電話機は発着信・通話等ができない、使用不可能な状態となる。移動電話機の使用が終わった時、追加された内線番号を消去する。番号が消去されると、移動電話機の電話帳データや発着信履歴などの個人的なデータは再び固定電話機に転送され、固定電話機は使用可能な状態に戻る。【選択図】図７
2008124816.tif 000002
【特許請求の範囲】
【請求項１】
外線と内線とを収容する主装置と、前記内線に接続された固定電話機と、無線基地局と、この無線基地局に接続された移動電話機とからなる電話システムにおいて、
前記移動電話機または前記固定電話機は、所定の操作によりパスワードが入力されたとき、このパスワードを前記主装置へ通知し、
前記主装置は、パスワードと固定電話機の内線番号との対照表を保持し、通知された前記パスワードをキーに前記対照表を参照し、該当する内線番号を前記移動電話機と対応付け、前記該当する内線番号への着信を前記移動電話機へ転送設定することを特徴とする電話システム。
【請求項２】
請求項１に記載の電話システムであって、
前記主装置は、前記移動電話機へ転送している間、前記内線番号に対応する固定電話機に対して、当該固定電話機への着信が前記移動電話機へ転送設定されていることを表示させることを特徴とする電話システム。
【請求項３】
請求項１または２に記載の電話システムであって、
前記移動電話機は、予め定めた条件を満足したとき、前記主装置へ転送解除指示を通知し、
前記主装置は、前記移動電話機から前記転送解除指示を通知された時、前記移動電話機への転送設定を解除することを特徴とする電話システム。
【発明の詳細な説明】
【技術分野】
【０００１】
本発明は電話システムに係り、移動電話機に固定電話機の番号を割当可能な電話システムに関する。
【背景技術】
【０００２】
事業所の構内用電話システムとして、主装置、固定電話機、無線基地局、移動電話機などが使用されている。固定電話機と無線基地局は、主装置と有線で接続され、移動電話機は、無線によって無線基地局と接続される。
【０００３】
構内用電話システムとしては、一人一台の固定電話機を持つことが一般的である。一方、席を離れる時のために、移動電話機も併用することがある。この場合、少数台の移動電話機を共有して使用するのが通例であり、移動電話機の内線番号は固定電話機と独立で、異なる番号が使用されることとなる。
【０００４】
このため、移動電話機を共有しているグループのメンバーは、移動電話機を誰が使用しているかを、把握する必要がある。ここで、移動電話機の内線番号を、固定電話機の内線番号と同じ番号に変更することが可能であれば、上述の把握が不要となる。つまり、内線番号を電話機と一対一の関係にするのではなく、携帯電話のように、番号を使用者と一対一の関係にすることができれば便利である。このようにすれば、使用者がどこにいようとも、使用者を表す内線番号に電話をかけることで連絡をとることができる。
【０００５】
しかし、固定電話機または無線電話機の内線番号を変更する場合、装置の設定、ネットワークの知識などが要求され、作業は工事者が行う。一般の利用者が内線番号を変更することは事実上、不可能であった。
【０００６】
特許文献１には、簡単に内線番号を変更する技術についての記載がある。特許文献１において、無線電話機の内線番号を変更する場合、ボタンを操作して内線番号を変更するためのアクセスコードおよび新しい内線番号を入力する。入力されたアクセスコードおよび内線番号は無線基地局を介して交換機に送信される。交換機は送信された内線番号に問題があるかを判断し、問題がなければ無線電話機に対して無線基地局を介し、書換え信号を送信する。
【０００７】
【特許文献１】特開２０００−２６１８３８号公報
【発明の開示】
【発明が解決しようとする課題】
【０００８】
特許文献１において、内線番号を変更する場合はアクセスコードを入力するが、これは全員で共通であるため、セキュリティの面において問題がある。アクセスコードが漏洩した場合、アクセスコードの変更が必要である。さらに、アクセスコードの変更を全員に通知しなければならない。
本発明の目的は、上述した課題を解決するために、内線番号一つに対してパスワード一つの対応として、少数台の携帯端末と容易に変更可能な内線番号とを対応付ける電話システムを提供することにある。
【課題を解決するための手段】
【０００９】
上述した課題は、外線を収容する主装置と、主装置に接続された固定電話機と、無線基地局と、無線基地局に接続された移動電話機とからなり、移動電話機は、所定の操作によりパスワードが入力されたとき、パスワードを前記主装置へ通知し、主装置は、パスワードと固定電話機の内線番号との対照表を保持し、通知されたパスワードをキーに対照表を参照し、該当する内線番号を移動電話機と対応付ける電話システムにより、達成できる。
【発明の効果】
【００１０】
本発明によれば、固定電話機のある自席から離れる場合に限って、内線番号の使用権を移動電話機に移し、使用が終われば使用権を再び固定電話機に戻す。この電話システムによれば、同時に席を離れる人数分だけ移動電話機があればよいため、最適なコストで電話システムを構築することができる。
【発明を実施するための最良の形態】
【００１１】
以下本発明の実施の形態について、実施例を用い図１から図１０を参照しながら説明する。なお、同一部位には同じ参照番号を振り、説明は繰り返さない。ここで、図１は内線電話システムの構成を説明するブロック図である。図２は移動電話機の内部メモリに登録されたテーブルを説明する図である。図３は主装置の内部メモリに登録された固定電話機のテーブルを説明する図である。図４は主装置の内部メモリに登録された移動電話機のテーブルを説明する図である。図５は移動電話機の対応固定電話番号登録のフローチャートである。図６は主装置の対応固定電話番号登録のフローチャートである。図７は移動電話機の内線番号追加のフローチャートである。図８は主装置の内線番号追加のフローチャートである。図９は移動電話機の内線番号削除のフローチャートである。図１０は主装置の内線番号削除のフローチャートである。
【００１２】
図１において、内線電話システム１００は、主装置１０、無線基地局２０、４台の固定電話機３０、３台の移動電話機４０から構成される。また、移動電話４０毎に、充電器５０が割り当てられている。ここで、無線基地局２０、固定電話機３０および移動電話機４０の数は、図１に限られず、もっと多くても少なくても良い。
【００１３】
主装置１０は、外線（公衆電話網）と固定電話機と移動電話機の回線を交換接続する装置であり、回線切替部１１、内部メモリ１２、制御部１３、外線ユニット１４から構成されている。回線切替部１１は、制御部１３からの指示により回線を切り替えて外線および固定電話機３０および移動電話機４０の回線を交換接続する。内部メモリ１２は、主装置を動作させるためのプログラム、固定電話機・移動電話機に関する情報を記憶している。固定電話機・移動電話機に関する情報の内容については後述する。制御部１３は、内部メモリ１２に記憶されている情報を使用して固定電話機および移動電話機の発着信等を制御する。外線ユニット１４は、図示しない公衆電話網と内線電話システム１００を接続するユニットである。
【００１４】
無線基地局２０は、主装置１０と有線で接続され、移動電話機４０と無線で接続されている。この接続によって、情報の送受信等を行う。
固定電話機３０は、主装置１０と有線で接続され、制御部３１、内部メモリ３２、操作部３３、表示部３４、音声入出力部３５から構成される。制御部３１は、内部メモリ３２に記憶されているプログラムを使用して、発着信等を制御する。内部メモリ３２は、固定電話機３０を動作させるプログラム等を記憶している。操作部３３は、ボタン等を備え、ダイヤル番号等を入力する。表示部３４は、ディスプレイを備え、様々な情報を表示する。音声入出力部３５は、マイクとスピーカとを備え、音声を入出力する。
【００１５】
ここで、固定電話機３０−０は内線番号１００、固定電話機３０−１は内線番号１０１、固定電話機３０−２は内線番号１０２、固定電話機３０−３は内線番号１０３と対応付けられている。
【００１６】
移動電話機４０は、無線基地局２０と無線で接続され、送受信部４１、制御部４２、内部メモリ４３、操作部４４、充電検出部４５、表示部４６、音声入出力部４７から構成される。送受信部４１は、アンテナを備え、情報や音声データを無線によって送受信する。制御部４２は、内部メモリ４３に記憶されたプログラムを使用して発着信の制御および音声・情報の送受信等を行う。内部メモリ４３は、移動電話機４０を動作させるプログラムおよび移動電話機４０の情報を記憶している。移動電話機４０の情報の内容については後述する。操作部４４は、ボタン等を備え、ダイヤル番号等を入力する。充電検出部４５は、移動電話機４０が充電器５０と接続されたとき、充電中であることを検出する。表示部４６は、ディスプレイを備え、様々な情報を表示する。音声入出力部４７は、マイクとスピーカとを備え、音声を入出力する。
【００１７】
ここで、移動電話機４０−０は固有番号２００、移動電話機４０−１は固有番号２０１、移動電話機４０−２は固有番号２０２と対応付けられている。
充電器５０は、移動電話機４０の図示しないバッテリーを充電する。
【００１８】
移動電話機の内部メモリに記憶されている情報について図２を参照して説明する。図２において、内部テーブル６０−０は移動電話機４０−０の、内部テーブル６０−１は移動電話機４０−１の、内部テーブル６０−２は移動電話機４０−２の内部メモリ４３に記憶されたテーブルである。内部テーブル６０のＰＳ番号６１は、移動電話機４０を識別する情報である。内部テーブル６０の固有番号６２は、固定電話機３０では使用されていない移動電話機独自の番号である。また、固有番号６２は、移動電話機４０を主装置１０に登録するときに付加される移動電話機４０が持つ内線番号でもある。
【００１９】
移動電話機４０は固有番号６２と、固定電話機３０の内線番号とを二つ同時に使用する。ここで、固有番号６２は、常に使用可能であり、固定電話機３０の内線番号を、その時々に応じて一時的に追加し、必要がなくなれば消去する。内部テーブル６０の一時登録番号６３には、固定電話機の内線番号を記憶する。ここで、一時登録番号６３に「０」が記憶されているとき、それは固定電話機３０の内線番号が登録されていないことを意味する。
【００２０】
内部テーブル６０の個人データ６４は、固定電話機と共通の電話帳や発着信履歴、移動電話機の着信メロディなどの各種設定をひとまとめで記憶する。個人データ６４は、一時登録番号６３とセットになる情報である。一時登録番号６３が追加・消去されると同時に、個人データ６４も固定電話機３０と移動電話機４０との間を移動する。ここで、個人データ６４に「０」が記憶されているとき、それは固定電話機３０の個人データが登録されていないことを意味する。
【００２１】
以上の説明から明らかなように、移動電話機４０−０の内線番号は２００のみであり、移動電話機４０−１の内線番号は２０１と１０１であり、移動電話機４０−２の内線番号は２０２と１０２である。
【００２２】
主装置の内部メモリに記憶されている情報について図３および図４を参照して説明する。図３において、固定電話機テーブル７０は、番号７１、パスワード７２、個人データ７３とから構成される。番号７１は固定電話機３０の内線番号であり、番号７１によって固定電話機を識別する。パスワード７２は、移動電話機の内線番号追加処理等を行うときに入力するパスワードである。後述する対応固定電話番号の登録が完了すると、パスワード７２が追加される。パスワード７２に「０」が記憶されている内線番号の固定電話機３０は、対応固定電話番号登録がされていないということを意味する。
【００２３】
図３では、内線番号１００〜１０２を有する固定電話機３０−０〜３０−２、が対応固定電話番号登録されている、また、パスワード７２は四桁の数字であるが、五桁の数字と記号であっても、六桁の文字列であってもよく桁数は任意である。なお、個人データ７３は、図２での説明と同様である。
【００２４】
図４において、移動電話機テーブル８０は、ＰＳ番号８１、固有番号８２、一時登録番号８３、対応固定電話番号８４とから構成される。ＰＳ番号８１は、移動電話機を識別する情報である。固有番号８２は、移動電話機４０の固有番号を記憶している。一時登録番号８３は、その移動電話機の内線番号が現在どれであるかを記憶している。対応固定電話番号８４は、移動電話機が追加することのできる固定電話機の内線番号である。
【００２５】
ここでは、対応固定電話番号８４はすべての移動電話機で共通である。しかし、移動電話機テーブル８０に、グループＩＤ欄を設けて、対応固定電話番号８４は、同じグループＩＤの移動電話機で共通としてもよい。このようにすれば、部単位または課単位で使用可能な移動電話機を割り振る際に便利である。
【００２６】
次に、図５から図１０を参照して、移動電話機と主装置との動作を説明する。
図５において、移動電話機４０は、以下の手順で、固定電話機３０の内線番号を使用できるように、対応固定電話番号の登録を行う。ここで、対応固定電話番号とは、移動電話機４０に追加することができる固定電話機３０の内線番号のことである。この操作は対応固定電話番号にパスワードを登録するための操作であり、この操作を行わないと対応固定電話番号を移動電話機４０で使用することはできない。
【００２７】
移動電話機４０のユーザは、操作部４４を操作し、内部メモリ４３に記憶されている対応固定電話番号登録プログラム（移動電話機）を起動させる。プログラムが起動すると、移動電話機４０は、ディスプレイ表示および音声で使用者に使用権を移動させる固定電話機の内線番号とパスワードの入力を求める（Ｓ５０１）。移動電話機４０は、内線番号とパスワードの入力を待ち（Ｓ５０２）、入力された内線番号とパスワードを、送受信部４１、無線基地局２０を介し、主装置１０に送信する（Ｓ５０３）。移動電話機４０は、主装置１０から再入力要求があるか判定し（Ｓ５０４）、ＹＥＳならばステップ５０１に戻る。ステップ５０４でＮＯなら、主装置１０から、対応固定電話番号登録終了信号を受信したか判定する（Ｓ５０５）。ステップ５０５がＹＥＳなら、移動電話機４０は、ディスプレイおよび音声により登録完了を出力（Ｓ５０６）した後、終了する。ステップ５０５がＮＯなら、移動電話機４０は、ステップ５０４に戻る。
【００２８】
図６において、主装置１０は、内線番号とパスワードの入力を待つ（Ｓ６０１）。内線番号とパスワードが入力されると（Ｓ６０１：ＹＥＳ）、主装置１０は、まず、受信した内線番号が固定電話機３０で使用している内線番号であるかを判断する（Ｓ６０２）。ステップ６０２で、主装置１０が使用していない番号であると判断した場合（ＮＯ）、再入力を要求する信号を送出し（Ｓ６０６）、終了する。ステップ６０２で、主装置１０が使用していると判断した場合（ＹＥＳ）は、主装置１０は、次にパスワードに問題があるかどうかを判断する（Ｓ６０３）。ステップ６０３では、パスワードが規定のもの（ここでは４桁数値）であるか、また、すでに他の内線番号で使用されているパスワードであるかを判断する。ステップ６０３で、問題があった場合（ＮＯ）、再入力要求信号を送出し（Ｓ６０６）、終了する。ステップ６０３で、問題がなかった場合（ＹＥＳ）、主装置１０は、内部メモリ１２に記憶されている固定電話機テーブル７０の、入力された内線番号のレコードのパスワード７２に、入力されたパスワードを記憶させる（Ｓ６０４）。また、対応固定電話番号登録終了信号を移動電話機４０に送出し（Ｓ６０５）、終了する。
【００２９】
上述した実施例では、移動電話機４０から対応固定電話番号を登録したが、同様に、固定電話機３０からも対応固定電話番号の登録が可能である。固定電話機３０を操作し、対応固定電話番号登録（固定電話機）プログラムを起動させる。プログラムに従って、固定電話機３０の使用者は、パスワードを入力する。固定電話機３０は、入力された情報を主装置１０へ送信する。主装置１０は、パスワードが適正か判断する。適正な場合、主装置１０は、パスワードを送信した固定電話機３０の内線番号に対応付けてパスワードを登録し、処理を終了する。
【００３０】
次に、内線番号が固有番号のみである移動電話機４０に固定電話機３０の内線番号を追加する動作について、図７および図８を参照して説明する。
図７において、使用者が内線番号が固有番号のみの移動電話機４０を充電器５０からとりあげる、または使用者が移動電話機４０の操作部４４を操作することによって、移動電話機４０は、内部メモリ４３に記憶されている内線番号追加プログラム（移動電話機）を起動する。移動電話機４０は、その表示部４６にパスワード入力待ちであることを表示する（Ｓ７０１）。移動電話機４０は、パスワード入力待ちに遷移する（Ｓ７０２）。ステップ７０２でパスワードが入力されたとき（ＹＥＳ）、移動電話機４０は、内線番号追加開始信号および入力されたパスワードとを無線基地局２０、回線切替部１１を介して、主装置１０に送信する（Ｓ７０３）。
【００３１】
移動電話機４０は、再入力要求を受信したか判定する（Ｓ７０４）。ＹＥＳのとき、移動電話機４０は、ステップ７０１に戻る。ステップ７０４でＮＯのとき、移動電話機４０は、主装置１０から内線番号追加可能信号を受信したか判定する（Ｓ７０５）。ＹＥＳのとき、内線番号追加可能信号には登録対象の内線番号が含まれているので、移動電話機４０は、内部テーブル６０の一時登録番号６３に受信した内線番号を登録する（Ｓ７０６）。移動電話機４０は、個人データの受信を待ち（Ｓ７０７）、受信した個人データを書き換える（Ｓ７０８）。最後に、「内線番号の追加が完了しました」という旨の表示を一時的に行い（Ｓ７０９）、終了する。
【００３２】
ステップ７０５でＮＯのとき、移動電話機４０は、内線番号追加不可能信号を受信したか判定する（Ｓ７１１）。ここで、ＮＯのとき、ステップ７０４に遷移する。ステップ７１１でＹＥＳのとき、移動電話機４０は、表示部４６に「この内線番号は既に他の移動電話機で使用されています」という旨の表示を行い（Ｓ７１２）、使用者の処理中止判断を待つ（Ｓ７１３）。ステップ７１３がＹＥＳのとき、移動電話機４０は、主装置１０に内線番号追加中止信号を送信し（Ｓ７１５）、終了する。ステップ７１３でＮＯのとき、移動電話機４０は、主装置１０に内線番号追加続行信号を送信する（Ｓ７１４）。なお、内線番号追加続行は強制変更であり、ステップ７１１で受信した内線番号追加不可能信号にも、パスワードに対応する内線番号が含まれているので、この内線番号を用いて、ステップ７０６での処理に遷移する。
【００３３】
以上の処理によって、移動電話機４０に固定電話機の内線番号が追加される。処理を実行する以前に、移動電話機４０の内線番号は固有番号である２０１だけであったが、実行後はそれに加えて固定電話機の内線番号が使用可能になる。加えて、個人データ情報も移動されることで、固定電話機と同じ電話帳データや発着信履歴が使用可能となる。
【００３４】
図８において、主装置１０は、パスワードと内線番号追加開始信号の受信を待ち（Ｓ８０１）、受信したとき（ＹＥＳ）、パスワードが正しいかどうかを判断する（Ｓ８０２）。具体的には、内部メモリ１２の固定電話機テーブル７０の、パスワード７２を参照し、一致するものがあるかを判断する。受信したパスワードが内部メモリ１２に記憶されていない場合、つまり、間違いであった場合、制御部１３はパスワードの再入力を要求する信号を回線切替部１１および無線基地局２０を介して送信し（Ｓ８０３）、終了する。ステップ８０２でパスワードが正しいものであったとき（ＹＥＳ）、次に、そのパスワードが示す内線番号が既に他の移動電話機で使用されているかどうかを判断する（Ｓ８０４）。内部メモリ１２に記憶されている移動電話機に関する情報のうち、一時登録番号を参照し、判断する。他の移動電話機で使用されていなかった場合（ＮＯ）、主装置１０は、移動電話機４０に対して、内線番号を含む内線番号追加可能信号を送出する（Ｓ８０５）。また、内部メモリに記憶されている移動電話機テーブル８０の一時登録番号情報を書き換える（Ｓ８０６）。次に、内部メモリの固定電話機テーブル７０の個人データ情報を移動電話機４０に送信する（Ｓ８０８）。また、主装置１０は、移動電話機４０に追加された内線番号を持つ固定電話機３０に対して使用停止信号を回線切替部１１を介して送信し（Ｓ８０９）、終了する。
【００３５】
なお、図示は省くが、使用停止信号を受信した固定電話機３０は、内部メモリ３２に記憶されている使用停止プログラムを起動する。プログラムが起動すると、固定電話機３０は、表示部３４に「この内線番号は移動電話機で使用されています」という旨の表示を行う。このとき、固定電話機３０は発着信等の動作が不可能となっても、ボタンの操作等が不可能となってもよい。以上の動作により、固定電話機の内線番号は移動電話機４０で使用可能となり、固定電話機３０で使用不可能となった。内線番号の使用権は、固定電話機３０から移動電話機４０に移動することとなる。
【００３６】
図８に戻って、ステップ８０４において、追加しようとする内線番号が既に他の移動電話機４０Ｂで使用されていた場合（ＹＥＳ）、主装置１０は、移動電話機４０に対して内線番号追加不可能信号を送出する（Ｓ８１０）。主装置１０は、移動電話機４０から内線番号追加中止信号を受信したか判定する（Ｓ８１１）。ＹＥＳのとき、終了し、ＮＯのとき、移動電話機４０から内線番号追加続行信号を受信したか判定する（Ｓ８１２）。ＮＯのとき、ステップ８１１に戻る。ステップ８１２でＹＥＳのとき、追加しようとする内線番号を既に使用している移動電話機４０Ｂに対して内線番号強制消去信号を送信する。主装置１０は、ステップ８０６以降同様の動作を行う。なお、既に使用権が停止している固定電話機３０がさらに使用停止信号を受信しても固定電話機３０は何の動作も起こさない。内線番号強制消去信号を受信した移動電話機４０Ｂの動作については、後述する。
【００３７】
使用権が移動電話機４０に移動した内線番号に着信があった場合の動作について説明する。主装置１０の制御部１３は、内部メモリ１２に記憶されている移動電話機テーブル８０の一時登録番号８３を常に把握している。該当の内線番号に着信があった場合、制御部１３はその内線番号が移動電話機４０で使用されているかを判断し、着信先を切り替える。着信を受けた内線番号が一時登録番号情報の中になかった場合は、そのまま固定電話機３０に着信するよう回線切替部１１に対して指示する。内線番号が一時登録番号情報にあった場合は該当の移動電話機４０に着信先を変更するように回線切替部１１に対して指示する。以上のような動作によって、使用権が移動電話機に移動された内線番号に対して着信があった場合、着信先を移動電話機４０に切り替えることができる。
【００３８】
次に、追加された内線番号の消去について図９と図１０を参照して説明する。ここでいう消去とは、移動電話機４０に追加された内線番号を使用不可能な状態に変更することであり、移動電話機４０の内線番号は固定番号のみとなる。
【００３９】
図９において、移動電話機４０は、充電開始を検出したとき（Ｓ９０１：ＹＥＳ）、内線番号強制消去信号を受信したとき（Ｓ９０２：ＹＥＳ）、内線電話番号追加から一定時間経過したとき（Ｓ９０３：ＹＥＳ）、電池警報音を送出したとき（Ｓ９０４：ＹＥＳ）のいずれかの条件が満足されたとき、主装置１０に自動消去信号を送信する（Ｓ９０５）。移動電話機４０は、次いで一時登録番号６３を消去し（Ｓ９１３）、個人データ６４を主装置１０に送信する（Ｓ９１４）。移動電話機４０は、個人データ６４を消去し（Ｓ９１５）、終了する。
【００４０】
ステップ９０１〜９０４が全てＮＯのとき、手動消去が実行されたか判定する（Ｓ９０６）。ここでＮＯなら、ステップ９０１に戻る。ステップ９０６で、移動電話機４０の使用者が、内線番号が追加されている移動電話機４０の操作部４４を操作し、内部メモリ４３に記憶されている内線番号手動消去プログラム（移動）を起動させる（Ｓ９０６：ＹＥＳ）。移動電話機４０は、使用者に対して、ディスプレイ表示や音声などで「パスワードを入力してください」という旨の表示を行う（Ｓ９０７）。移動電話機４０は、使用者のパスワード入力を待ち（Ｓ９０８）、入力を受けて手動消去信号を主装置１０に送信する（Ｓ９０９）。移動電話機４０は、入力されたパスワードを主装置１０に送信する（Ｓ９１０）。
【００４１】
手動消去信号とパスワードとを主装置１０に送信した移動電話機４０は、主装置１０からの再入力要求を待ち（Ｓ９１１）、ＹＥＳのときステップ９０７に遷移する。ステップ９１１においてＮＯのとき、主装置１０からの内線番号消去信号の受信を待つ（Ｓ９１２）。ここで内線番号消去信号を受信したとき、ステップ９１３に遷移する。以上の動作により、移動電話機４０の追加された内線番号が消去され、固有番号のみ使用できるように変更される。
【００４２】
図１０において、主装置１０は、移動電話機４０からの自動消去信号の受信を判定する（Ｓ１０１）。ステップ１０１がＮＯのとき、移動電話機４０からの手動消去信号の受信を判定する（Ｓ１０２）。ステップ１０２がＮＯのとき、主装置１０は、ステップ１０１に遷移する。ステップ１０１でＹＥＳのとき、主装置１０は、移動電話機４０に該当する移動電話機テーブル８０の一時登録番号８３を消去し（Ｓ１０６）、移動電話機４０からの個人データの受信を待つ（Ｓ１０８）。主装置１０は、個人データを受信したとき（Ｓ１０８：ＹＥＳ）、固定電話機テーブル７０の該当電話番号のレコードに個人データを記憶し（Ｓ１０９）、該当固定電話３０へ使用停止解除信号を送信して（Ｓ１１０）、終了する。
【００４３】
なお、図示を省くが、使用停止解除信号を受信した固定電話機３０は内部メモリ３２に記憶されている、使用停止解除プログラムを起動する。プログラムは「この内線番号は移動電話機で使用されています」という旨の表示を消去し、発着信やボタン操作等が再び行えるように変更する。
【００４４】
ステップ１０２においてＹＥＳのとき、主装置１０は、移動電話機４０からのパスワードの受信を待つ（Ｓ１０３）。主装置１０は、パスワードを受信したとき（ＹＥＳ）、パスワードが正しいか判定する（Ｓ１０４）。ＮＯのとき、主装置１０は、移動電話機４０に再入力要求を送信し（Ｓ１０７）、終了する。ステップ１０４でＹＥＳのとき、主装置１０は、移動電話機４０に内線番号消去信号を送信し（Ｓ１０５）、ステップ１０６に遷移する。
【００４５】
その他の動作について説明する。パスワードを変更する場合は、移動電話機４０の操作部４４を操作し、内部メモリ４３に記憶されている、パスワード変更処理プログラム（移動）を起動させる。プログラムは旧パスワードと新パスワードの入力を求める。入力された情報は送受信部４１、無線基地局２０、回線切替部１１を介して制御部１３に送信される。制御部１３がこの情報を受信すると、内部メモリ１２に記憶されているパスワード変更処理プログラム（主装置）を起動する。プログラムは旧パスワードが正しいものかを判断する。内部メモリ１２に記憶されている、固定電話機に関する情報のうち、パスワードの項目を参照し、正否を判断する。間違いであると判断した場合、パスワード変更不可信号を移動電話機４０に送信し、プログラムを終了する。旧パスワードが正しい場合、次に、新パスワードの正否を判断する。他の内線番号で既に使用されている等の理由で間違いであると判断した場合、移動電話機４０に対してパスワード変更不可信号を送信する。正しいと判断された場合、内部メモリ１２に記憶されている、固定電話機に関する情報のうち、パスワードを書き換える。また、移動電話機４０に対してパスワード変更可能信号を送信し、プログラムを終了する。パスワード変更不可信号を受信した移動電話機４０は表示部４６のディスプレイ表示や音声等で「旧パスワードが間違っているか、又は、新パスワードは使用できません」という旨の表示を行い、プログラムを終了する。パスワード変更可能信号を受信した移動電話機４０は表示部４６のディスプレイ表示等に「パスワードの変更が完了しました」という旨の表示を行い、プログラムを終了する。
【００４６】
移動電話機４０が現在、どの内線番号であるかは主装置１０の内部メモリ１２を参照することで把握することができる。従って、移動電話機４０や固定電話機３０を操作し制御部１３に内部メモリ１２を参照させることで移動電話機４０がどの内線番号を使用しているかを表示させることが可能である。
【００４７】
内線番号自動消去動作がうまく働かず、使用権を持ったまま移動電話機４０が行方不明になってしまった場合、例えば、圏外で電池切れを起こしてしまった場合の救済処置として、固定電話機３０からパスワードを入力することで、内線番号の使用権を強制的に固定電話機に戻すようにしてもよい。このとき、移動電話機４０が復帰したとき、該当の内線番号は自動的に消去する。
【図面の簡単な説明】
【００４８】
【図１】内線電話システムの構成を説明するブロック図である。
【図２】移動電話機の内部メモリに登録されたテーブルを説明する図である。
【図３】主装置の内部メモリに登録された固定電話機のテーブルを説明する図である。
【図４】主装置の内部メモリに登録された移動電話機のテーブルを説明する図である。
【図５】移動電話機の対応固定電話番号登録のフローチャートである。
【図６】主装置の対応固定電話番号登録のフローチャートである。
【図７】移動電話機の内線番号追加のフローチャートである。
【図８】主装置の内線番号追加のフローチャートである。
【図９】移動電話機の内線番号削除のフローチャートである。
【図１０】主装置の内線番号削除のフローチャートである。
【符号の説明】
【００４９】
１０…主装置、１１…回線切替部、１２…内部メモリ、１３…制御部、１４…外線ユニット、２０…無線基地局、３０…固定電話機、３１…制御部、３２…内部メモリ、３３…操作部、３４…表示部、３５…音声入出力部、４０…移動電話機、４１…送受信部、４２…制御部、４３…内部メモリ、４４…操作部、４５…充電検出部、４６…表示部、４７…音声入出力部、５０…充電器、６０…内部テーブル、７０…固定電話機テーブル、８０…移動電話機テーブル、１００…内線電話システム。
【図１】
2008124816.tif 000003
【図２】
2008124816.tif 000004
【図３】
2008124816.tif 000005
【図４】
2008124816.tif 000006
【図５】
2008124816.tif 000007
【図６】
2008124816.tif 000008
【図７】
2008124816.tif 000009
【図８】
2008124816.tif 000010
【図９】
2008124816.tif 000011
【図１０】
2008124816.tif 000012